(57)【要約】【課題】陳列、購買後、流通においても同じ状態で簡単に取り扱くことができ、しかも、陳列時には、購買欲をそそるような陳列が可能なアクセサリーセットを提供する。【解決手段】収納物１０として、宝石（装飾品）１１と、宝石１１の出し入れが容易な光透過性の収納瓶１２と、収納瓶１２を他部材に取り付けるためのストラップ（取付具）１３とを有し、収納容器２０は、外形を構成する光透過性の外箱２１と、外箱２１の内側空間を上下方向又は左右方向に分割して宝石１１が収納される第１収納室Ｒ１，収納瓶１２が収納される第２収納室Ｒ２，ストラップ１３が収納される第３収納室Ｒ３を構成する内箱２２とを有し、第１収納室Ｒ１に収納された宝石１１と第２収納室Ｒ２に収納された収納瓶１２とが、外部から視認可能である。【選択図】図１
2012223212.tif 000002
【特許請求の範囲】
【請求項１】
上下方向及び左右方向の寸法に対して前後方向の寸法が小さい直方体状の収納容器と、前記収納容器に収納された収納物とを備えたアクセサリーセットにおいて、
前記収納物として、装飾品と、前記装飾品の出し入れが容易な光透過性の収納瓶と、前記収納瓶を他部材に取り付けるための取付具と、を有し、
前記収納容器は、外形を構成する光透過性の外箱と、前記外箱の内側空間を上下方向又は左右方向に分割して前記装飾品が収納される第１収納室，前記収納瓶が収納される第２収納室，前記取付具が収納される第３収納室を構成する内箱と、を有し、
前記第１収納室に収納された前記装飾品と第２収納室に収納された前記収納瓶とが、外部から視認可能である、
ことを特徴とするアクセサリーセット。
【請求項２】
前記第３収納室は、前記外箱の下端側を左右方向に延びるように形成され、前記第１収納室と前記第２収納室は、前記第３収納室の上方において左右に隣接するように配置されている、
ことを特徴とする請求項１に記載のアクセサリーセット。
【請求項３】
前記内箱は、１枚のシート材を屈曲させることで形成された天面部、背面部、底面部、前記第３収納室の前面に対応する下前面部、前記第１収納室の前面に対応する上前面部、前記第１収納室と前記第２収納室とを区画する壁面部を有する内箱本体と、
横向き角筒状に形成されるとともに前記下前面部の裏面側に配置されて前記第３収納室を構成する着脱可能な筒状部材と、を有する、
ことを特徴とする請求項２に記載のアクセサリーセット。
【請求項４】
前記筒状部材における上側に位置する面が、前記第１収納室及び前記第２収納室の底部を構成する、
ことを特徴とする請求項３に記載のアクセサリーセット。
【請求項５】
前記上前面部は、窓部を有する、
ことを特徴とする請求項４に記載のアクセサリーセット。
【請求項６】
前記装飾品を内側に納めた状態で前記第１収納室に収納されるケースを有し、
前記ケースは、前記第１収納室に収納された状態において、外部から前記窓部を介して前記装飾品の目視が可能な蓋部材を有する、
ことを特徴とする請求項５に記載のアクセサリーセット。
【請求項７】
前記ケースは、前記蓋部材によって開閉される光不透過性のケース本体を有し、表裏反転して前記ケース本体を前記窓部から露出させることで、外部から前記装飾品の目視が不能となる、
ことを特徴とする請求項６に記載のアクセサリーセット。
【発明の詳細な説明】
【技術分野】
【０００１】
本発明は、収納容器に収納されて陳列された装飾品、収納瓶、取付具を購買者自身で組み合わせてアクセサリーを構成するアクセサリーセットに関する。
【背景技術】
【０００２】
従来、宝石のついた指輪やネックレス等の高価な装飾品は、専用の宝石箱に収納された状態でショウウィンドウ陳列され、また、購買後はこの宝石箱で保管される（例えば、特許文献１参照）。
【０００３】
ところが宝石箱に入れたまま陳列する場合、多くのスペースが必要となる。
【０００４】
このような不具合をなくすような提案が、例えば、特許文献１でなされている。
【０００５】
このものは、宝石を載置する載置部材と鑑定書保持部材とが互いに折り重ねられるように接続されていて、宝石箱とは別体に構成されている。
【０００６】
これにより、宝石を店頭等で陳列する際には、宝石が載置された載置部材と鑑定書を保持した鑑定書保持部材とを宝石箱から取り出した状態で陳列できるので、宝石箱が不要な分、場所を取らず、また、鑑定書を簡単に見ることができる。一方、購買後には、宝石及び鑑定書を、載置部材及び鑑定書保持部材とともに、宝石箱に収納することができる。
【先行技術文献】
【特許文献】
【０００７】
【特許文献１】実開平６−７５２２２号公報
【発明の概要】
【発明が解決しようとする課題】
【０００８】
しかしながら、上述の特許文献１のものは、陳列状態においては、スペースを節約することができるものの、別個に宝石箱を保管しておくためのスペースを確保する必要があり、また、宝石等と宝石箱とが別体であるため、宝石の購買後には、宝石等を宝石箱に収納するといった作業が必要となり煩雑である。さらに、宝石の流通に当たっても、個別な方法を採用する必要がある。宝石が高価で、取り扱い量が少ない場合には、特許文献１のような方法を採用することも可能ではあるが、この方法は、宝石等が比較的安価で、取り扱い量が多い場合には適さない。
【０００９】
本発明は、上述した事情に鑑みてなされたものであり、陳列、購買後、さらには、流通においても同じ状態で簡単に取り扱くことができ、しかも、陳列時には、購買欲をそそるような陳列が可能なアクセサリーセットを提供することを目的とする。
【課題を解決するための手段】
【００１０】
請求項１の発明によれば、上下方向及び左右方向の寸法に対して前後方向の寸法が小さい直方体状の収納容器と、前記収納容器に収納された収納物とを備えたアクセサリーセットにおいて、前記収納物として、装飾品と、前記装飾品の出し入れが容易な光透過性の収納瓶と、前記収納瓶を他部材に取り付けるための取付具と、を有し、前記収納容器は、外形を構成する光透過性の外箱と、前記外箱の内側空間を上下方向又は左右方向に分割して前記装飾品が収納される第１収納室，前記収納瓶が収納される第２収納室，前記取付具が収納される第３収納室を構成する内箱と、を有し、前記第１収納室に収納された前記装飾品と第２収納室に収納された前記収納瓶とが、外部から視認可能である、ことを特徴とする。
【００１１】
請求項２に係る発明は、請求項１に係るアクセサリーセットにおいて、前記第３収納室は、前記外箱の下端側を左右方向に延びるように形成され、前記第１収納室と前記第２収納室は、前記第３収納室の上方において左右に隣接するように配置されている、ことを特徴とする。
【００１２】
請求項３に係る発明は、請求項２に係るアクセサリーセットにおいて、前記内箱は、１枚のシート材を屈曲させることで形成された天面部、背面部、底面部、前記第３収納室の前面に対応する下前面部、前記第１収納室の前面に対応する上前面部、前記第１収納室と前記第２収納室とを区画する壁面部を有する内箱本体と、横向き角筒状に形成されるとともに前記下前面部の裏面側に配置されて前記第３収納室を構成する着脱可能な筒状部材と、を有する、ことを特徴とする。
【００１３】
請求項４に係る発明は、請求項３に係るアクセサリーセットにおいて、前記筒状部材における上側に位置する面が、前記第１収納室及び前記第２収納室の底部を構成する、ことを特徴とする。
【００１４】
請求項５に係る発明は、請求項４に係るアクセサリーセットにおいて、前記上前面部は、窓部を有する、ことを特徴とする。
【００１５】
請求項６に係る発明は、請求項５に係るアクセサリーセットにおいて、前記装飾品を内側に納めた状態で前記第１収納室に収納されるケースを有し、前記ケースは、前記第１収納室に収納された状態において、外部から前記窓部を介して前記装飾品の目視が可能な蓋部材を有する、ことを特徴とする。
【００１６】
請求項７に係る発明は、請求項６に係るアクセサリーセットにおいて、前記ケースは、前記蓋部材によって開閉される光不透過性のケース本体を有し、表裏反転して前記ケース本体を前記窓部から露出させることで、外部から前記装飾品の目視が不能となる、ことを特徴とする。
【発明の効果】
【００１７】
請求項１の発明によれば、装飾品と収納瓶と取付具とを収納容器に入れた状態で、陳列し、売買し、流通させることができる。また、陳列時には、第１収納室に収納した装飾品と、第２収納室に収納した収納瓶を外部から視認できるので、例えば、購買者は収納物を収納容器から取り出すことなく外部から見ることができるので、購買欲を高めることができる。
【００１８】
請求項２の発明によれば、取付具を収納する第３収納室の上側に、装飾品を収納する第１収納室及び収納瓶を収納する第２収納室が配置されているので、装飾品及び収納瓶を目立たつようにすることができる。
【００１９】
請求項３の発明によれば、内箱は、１枚のシート材を屈曲させた内箱本体と、筒状の筒状部材とによって簡単に構成することができる。
【００２０】
請求項４の発明によれば、筒状部材における上側に位置する面が、第１収納室及び第２収納室の底部を構成するので、第１収納室、第２収納室、第３収納室を容易に構成することができる。
【００２１】
請求項５の発明によれば、内箱本体の上前面部は、装飾品が収納される第１収納室の前面に位置することになるが、この上前面部には窓部が設けてあるので、この窓部を介して、外部から装飾品を視認できるようにすることができる。
【００２２】
請求項６の発明によれば、装飾品は、ケースに入れた状態で、蓋部材を介して外部から視認できるようにすることができる。
【００２３】
請求項７の発明によれば、ケースの、光不透過性のケース本体側が窓部から露出するようにすれば、ケース内の装飾品を外部から見えなくすることができる。例えば、購買者には、装飾品として何が入っているかが判らないので、一層、購買欲を刺激することになる。
【図面の簡単な説明】
【００２４】
【図１】アクセサリーセット１の分解斜視図である。
【図２】アクセサリーセット１を正面から見た模式図である。
【図３】ケース１４Ａの裏面側を示す斜視図である。
【発明を実施するための形態】
【００２５】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２６】
図１〜図３を参照して本発明を適用した実施形態１に係るにアクセサリーセット１について説明する。ここで、図１は、アクセサリーセット１の分解斜視図である。また、図２は、アクセサリーセット１を正面から見た模式図である。また、図３は、ケース１４Ａの裏面側を示す斜視図である。
【００２７】
これらの図に示すようにアクセサリーセット１は、収納物１０と、この収納物１０を収納する収納容器２０とを備えて構成されている。
【００２８】
収納物１０には、装飾品としての宝石１１と、収納瓶１２と、取付具としてのストラップ１３とが含まれている。また、収納容器２０には、外箱２１と内箱２２とが含まれていて、さらに、内箱２１は、内箱本体２３と筒状部材２４とが含まれている。
【００２９】
宝石（装飾品）１１は、ケース１４に収納されている。ケース１４は、全体が直方体状に形成されていて、不透明なケース本体１４ａと、このケース本体１４ａの開口部を開閉する透明な蓋部材１４ｂとによって構成されている。ケース１４の内側には、スポンジ等の充填剤（不図示）が充填されていて、この充填剤により、宝石１１は、内側から軽く蓋部材１４ｂに押しつけられている。このため、宝石１１は、ケース１４が図示の姿勢、すなわち、蓋部材１４ｂが正面側を向いた姿勢でも、ケース１４の略中央に安定した状態で保持される。
【００３０】
宝石１１は、ケース１４に入れられた状態で、後述する内箱２２の第１収納室Ｒ１に収納される。
【００３１】
なお、宝石１１としては、例えば、誕生石を使用することができ、これ以外にもスワロフスキーやアクリル・樹脂なども使用することができる。また、装飾品としては、宝石１１に限らず、宝石を真鍮などのプレートに貼り付けたものも使用することができる。この場合、プレートとしては、真鍮以外のチタンやシルバー、地金が向きだした金属プレート、また、ロジウム、金、ニッケル等の等のメッキを施したものや、箔、漆塗りなどの処理を施したものも使用することができる。さらに、プレートして、木、アクリル、紙、ガラス等でできたものを使用することも可能である。
【００３２】
収納瓶１２は、光透過性の瓶本体１２ａと、この瓶本体１２ａの開口部を開閉する蓋部材としてのコルク栓１２ｂとによって構成されている。ここで、光透過性とは、瓶本体１２ａに宝石１１が入れられた際に、その宝石１１を瓶本体１２ａの外側から見ることができるという意味であり、無色透明、無色半透明、色付半透明等を含むものとする（以下の「光透過性」も同じ）。瓶本体１２ｂの上端の開口部近傍には、他の部分よりも小径のネック部１２ｃが形成されている。このネック部１２ｃは、後述するストラップ１３のゴムバンド１３ａがかけられる部分である。収納瓶１２は、瓶本体１２ａからコルク栓１２ｂを外すことにより、瓶本体１２ａ内への宝石１１の出し入れを簡単に行うことができる。
【００３３】
収納瓶１２は、後述する内箱２２の第２収納室Ｒ２に収納される。
【００３４】
なお、収納瓶１２の素材としては、ガラス、アクリル、ＡＢＳ等を使用することができる。なお、収納瓶１２には、上述の宝石１１や、宝石のついたプレートを単独で入れる他、充填物を入れるようにしてもよい。この場合の充填物としては、水、オイル、酒等の液体や、砂、アクリル粒、金属粉等の粒状体、粉状体や、ドライフラワーを使用することができる。
【００３５】
ストラップ（取付具）１３は、ゴムバンド１３ａとループ部１３ｂとを有している。ストラップ１３は、ゴムバンド１３ａを、上述の収納瓶１２のネック部１２ｃに嵌め、一方、ループ部１３ｂを例えば携帯電話に連結することにより、携帯電話に収納瓶１２を取り付けることができる。
【００３６】
ストラップ１３は、後述する筒状部材２４の内側に構成される第３収納室Ｒ３に収納される。
【００３７】
なお、取付具としては、ストラップ１３以外に、例えば、収納瓶１２をネックレスやリングに直接取り付けてこれらをチャームとして使用する際の金具等であってもよい。
【００３８】
収納容器２０の外箱２１は、直方体状の外箱本体２１ａと、この外箱本体２１ａの開口部２１ｂを開閉する蓋部２１ｃとを有している。外箱２１全体は、例えば、光透過性のプラスチックフィルムを材料として形成されている。外箱２１は、材料の厚さを無視した場合には、蓋部２１ｃを閉じた状態で、左右方向の幅（寸法）、上下方向の高さ（寸法）、前後方向の厚さ（寸法）が、後述する内箱本体２３の幅Ｗ、高さＨ、厚さＴと略同じとなっている。外箱２１のは、幅Ｗ及び高さＨに対して、厚さＴが小さく設定されている。つまり、外箱２１の各寸法は、そのままアクセサリーセット１の寸法となるので、アクセサリーセット１は、その幅や高さに対して、厚さが小さい直方体状に形成されていることになる。これにより、後述する第１収納室Ｒ１、第２収納室Ｒ２、第３収納室Ｒ３が上下及び左右方向に平面的に配置され、宝石１１及び収納瓶１２が並んで、一目で見えるようになっている。つまり、購買者にとっては、宝石１１を収納瓶１２に入れた際のイメージを膨らませることができる。
【００３９】
外箱２１は、その内側に、開口部２１ｂを介して、次に説明する内箱２２が収納される。
【００４０】
なお、外箱２１は、無色透明に限らず、半透明、色付半透明等に形成してよい。
【００４１】
内箱２２は、内箱本体２３と筒状部材２４とを組み合わせて構成されている。このうち、内箱本体２３は、天面部２３ａ、背面部２３ｂ、底面部２３ｃ、第３収納室Ｒ３の前面に対応する下前面部２３ｄ、第１収納室Ｒ１の前面に対応する上前面部２３ｅ、第１収納室Ｒ１と前記第２収納室Ｒ２とを区画する壁面部２３ｆを有している。これら天面部２３ａ〜壁面部２３ｆは、所定の形状に裁断された１枚のシート状の部材（例えば、不透明な紙）を屈曲させることによって形成することができる。
【００４２】
すなわち、幅Ｗのシート状の部材を、天面部２３ａの前端側を基端として、天面部２３ａの後端を下方に向けて屈曲（折曲）させて背面部２３ｂを形成し、背面部２３ｂの下端を前方に向けて屈曲させて底面部２３ｃを形成し、底面部２３ｃの前端を上方に向けて屈曲させて下前面部２３ｄ及び上前面部２３ｅを形成し、そして、上前面部２３ｅの左端を後方に向けて屈曲させて壁面部２３ｆを形成している。上述の上前面部２３ｅには、窓部２３ｇが穿設されていて、この窓部２３ｇから前述の、ケース１４に入った宝石１１が外部から見えるようになっている。
【００４３】
内箱本体２３は、上述のように、所定の形状に裁断された１枚のシート状の部材を単に、屈曲させるだけで、天面部２３ａ〜壁面部２３ｆの各面を構成することができ、特に接着等が不要であるので簡単に構成することができる。内箱本体２３は、幅Ｗ、高さＨ、厚さＴに形成されており、上述の外箱２１の内側に挿入されている。なお、内箱本体２３は、図示例では、幅Ｗと高さＨが同じに設定されていて、正面から見た形状が正方形となっている。
【００４４】
内箱本体２３とともに内箱２２を構成する筒状部材２４は、左右方向に延びる角筒状に形成されていて、天面（上側に位置する面）２４ａ、背面２４ｂ、底面２４ｃ、前面２４ｄを有している。これら天面２４ａ〜前面２４ｄは、例えば、１枚のシート状の部材を屈曲させることによって形成することができる。筒状部材２４は、内箱本体２３の下部に横方向（図示例では、右方向）から挿入されている。すなわち、筒状部材２４は、その背面２４ｂ、底面２４ｃ、前面２４ｄをそれぞれ内箱本体２３の背面部２３ｂ、底面部２３ｃ、下前面部２３ｄに接触するように挿入されている。
【００４５】
筒状部材２４は、内箱本体２３に挿入された状態において、内側に第３収納室Ｒ３を構成する。さらに、筒状部材２４は、天面２４ａのうちの、内箱本体２３の壁面部２３ｆよりも右側に位置する部分２４ａ１が上述の第１収納室Ｒ１と第３収納室Ｒ３とを区画する。つまり、部分２４ａ１は、第１収納室Ｒ１の底部を構成する。同様に、筒状部材２４は、天面２４ａのうちの、内箱本体２３の壁面部２３ｆよりも左側に位置する部分２４ａ２が上述の第２収納室Ｒ２と第３収納室Ｒ３とを区画する。つまり、部分２４ａ２は、第２収納室Ｒ２の底部を構成する。
【００４６】
各筒部材２４は、その内側に、第３収納室Ｒ３が構成されて、この第３収納室Ｒ３に、取付具としてのストラップ１３が収納される。
【００４７】
なお、角筒部材２４は、材質としては、上述の外箱２１を同様、プラスチックフィルムを使用することができるが、これに限らず、紙、合成紙等も使用可能である。なお、かつ筒部材２４については、透明、不透明はいずれであってもよい。
【００４８】
以上説明した内箱２２は、それぞれ１枚のシート状の部材を屈曲させた単純な構成の内箱本体２３及び筒状部材２４を組み合わせた簡単な構成である。そして、この簡単な構成の内箱２２が外箱２１の内側に挿入されることにより、外箱の内側に、第１収納室Ｒ１、第２収納室Ｒ２、第３収納室Ｒ３が構成されている。こうして構成された第１収納室Ｒ１には、ケース１４に入った宝石１１が収納され、第２収納室Ｒ２には、収納瓶１２が収納され、第３収納室Ｒ３には、ストラップ１３が収納されている。そして、宝石１１は、ケース１４の透明な蓋部材１４ｂ、内箱本体２３の窓部２３ｇ、外箱２１を介して、正面側からの視認が可能である。また、収納瓶１２は、外箱２１を介して、正面側及び左側からの視認が可能である。さらに、ストラップ１３は、多少、見えにくいものの、外箱２１を介して左側及び右側からの視認が可能となる。
【００４９】
次に、図３を参照して、実施形態１の変形例について説明する。
図３に示すケース１４Ａは、図１に示すケース１４の一部を変更したものである。すなわち、ケース１４Ａは、不透明なケース本体１４ａと透明な蓋部材ｂとによって構成されている点では、ケース１４と同じであるが、ケース本体１４ｂの背面（裏面）に「？」マークを付したシール１４ｃが貼着されている点が、ケース１４とは異なる。
【００５０】
ケース１４は、内箱２２（図１参照）の第１収納室Ｒ１に収納される際に、シール１４ｃ側が内箱２２の正面側に位置するように収納されている。これにより、アクセサリーセット１の外部からは、外箱２１、窓部２３ｇを介して、シール１４ｃが見えることになる。つまり、ケース１４Ａの中に入っている宝石１１が何であるかは、購買者は外部から視認できないようになっている。これを利用して、例えば、複数のケース１４を準備し、これらのうちの１つのケース１４内には宝石１１として４月の誕生石であるタイヤをいれ、残りのケース１４には、外見がダイヤに似ている水晶とする。ただし、このことは、購買者には伝えておく。
【００５１】
このようにすることで、購買者は、抽選をするのと同様に、射幸心が高められ、楽しくアクセサリーセット１を購買することができる。
【００５２】
なお、本閉経例において、特にシール１４ｃを貼らずに、不透明なケース本体１４ａが窓部２３ｇから露出するようにしても、外部からはケース１４Ａの中の宝石１１が何であるかを視認することができない。
【００５３】
以上説明したアクセサリーセット１は、以下のような効果を奏することができる。すなわち、
（１）宝石（装飾品）１１と収納瓶１２とストラップ（取付具）１３とを収納容器２０に入れた状態で、陳列し、売買し、流通させることができる。また、陳列時には、第１収納室Ｒ１に収納した宝石１１と、第２収納室Ｒ２に収納した収納瓶１２を外部から視認できるので、例えば、購買者は宝石１１や収納瓶１２を収納容器２０から取り出すことなく外部から見ることができるので、宝石１１を収納瓶１２に入れたときの状態を簡単にイメージすることができ、購買欲が高められる。
（２）ストラップ（取付具）１３を収納する第３収納室Ｒ３の上側に、宝石１１を収納する台１収納室Ｒ１及び収納瓶１２を収納する第２収納室Ｒ２が配置されているので、宝石１１及び収納瓶１２を目立たつようにすることができる。
（３）内箱２１は、１枚のシート材を屈曲させた内箱本体２３と、筒状の筒状部材２４とを組み合わせて、簡単に構成することができる。
（４）筒状部材２４における天面（上側に位置する面）２４ａが、第１収納室Ｒ１及び第２収納室Ｒ２の底部を構成するので、第１収納室Ｒ１、第２収納室Ｒ２、第３収納室Ｒ３を容易に構成することができる。
（５）内箱本体２３の上前面部２３ｅは、宝石１１が収納される第１収納室Ｒ１の前面に位置することになるが、この上前面部２３ｅには窓部２３ｇが設けてあるので、この窓部２３ｇを介して、外部から宝石１１を視認できるようにすることができる。
（６）宝石１１は、ケース１４に入れた状態で、蓋部材１４ｂを介して外部から視認できるようにすることができる。
（７）宝石１１を収納するケース１４Ａを図３に対応するものとすることで、購買者は、装飾品としてどの宝石１１が何が入っているかが判らないので、一層、購買欲を刺激されることになる。
【００５４】
なお、以上の実施形態では、アクセサリーセット１の正面から見て、宝石１１を収納する第１収納室Ｒ１が右側に、また、収納瓶１２を収納する第２収納室Ｒ２が左側に配置されているが、この逆に、第１収納室Ｒ１が左側で、第２収納室Ｒ２が右側に位置するように構成してもよいのはもちろんである。
【符号の説明】
【００５５】
１  アクセサリーセット
１０  収納物
１１  宝石（装飾品）
１２  収納瓶
１３  ストラップ（取付具）
１４，１４Ａ  ケース
１４ａ  ケース本体
１４ｂ  蓋部材
２０  収納容器
２１  外箱
２２  内箱
２３  内箱本体
２３ａ  天面部
２３ｂ  背面部
２３ｃ  底面部
２３ｄ  下前面部
２３ｅ  上前面部
２３ｆ  壁面部
２３ｇ  窓部
２４  筒状部材
２４ａ  天面
２４ａ１  部分（第１収納部の底部）
２４ａ２  部分（第２収納部の底部）
Ｈ  高さ（上下方向の寸法）
Ｔ  厚さ（前後方向の寸法）
Ｗ  幅（左右方向の寸法）
Ｒ１  第１収納室
Ｒ２  第２収納室
Ｒ３  第３収納室
【図１】
2012223212.tif 000003
【図２】
2012223212.tif 000004
【図３】
2012223212.tif 000005